(57)【要約】【課題】  児童に、故障或いはガス切れの印象を与え、児童に点火を諦めさせることが可能な電子ガスライターを提供する。【解決手段】  ハンドルに設けられて外方へ突出するように延びるバレルと、ハンドル内において液化ガス燃料を収容する燃料タンクに設けたガスバルブと、トリガと、レバーピンを介してハンドルに回動可能に取り付けられたレバーと、ハンドルに対して摺動可能に設けられ、第１の弾性部材により非没入位置に押圧される安全ボタンと、ハンドル内においてスターとボタンを有し、常にはトリガが操作されても同トリガに係合することがない分離位置にあり、安全ボタンが押圧操作されると整合位置に押圧され、操作されたトリガにより着火されるピエゾユニットとからなる。【選択図】  図２ａ
0003141715.tif 000002
【実用新案登録請求の範囲】
【請求項１】
ハンドルと、同ハンドルに設けられて外方へ突出するように延びるバレルと、ハンドル内において液化ガス燃料を収容する燃料タンクと、同燃料タンクに設けたガスバルブと、トリガと、レバーピンを介してハンドルに回動可能に取り付けられたレバーとを備えるライターにおいて、
前記ハンドルに対して摺動可能に設けられ、第１の弾性部材により非没入位置に押圧される安全ボタンと、
前記ハンドル内においてスタートボタンを有し、常にはトリガが操作されても同トリガに係合することがない分離位置にあり、前記安全ボタンが押圧操作されると整合位置に押圧され、操作されたトリガにより着火されるピエゾユニットとからなるライター。
【請求項２】
前記トリガは、ピエゾユニットが整合位置にあるとき、同ピエゾユニットに係合可能な内方突起を有する請求項１に記載のライター。
【請求項３】
前記安全ボタンはピエゾユニットを整合位置へ押圧する指部を有する請求項１に記載のライター。
【請求項４】
前記安全ボタンはピエゾユニットを整合位置へ押圧する指部を有する請求項２に記載のライター。
【請求項５】
前記ピエゾユニットは互いに対向する一対のスリットを有し、各スリットはハンドルに設けられたピンを受容している請求項１に記載のライター。
【請求項６】
前記ピエゾユニットは互いに対向する一対のスリットを有し、各スリットはハンドルに設けられたピンを受容している請求項４に記載のライター。
【請求項７】
前記ピエゾユニットはハンドルに設けたポールを受容する水平方向に延びる通孔を有する請求項１に記載のライター。
【請求項８】
前記ピエゾユニットはハンドルに設けたポールを受容する水平方向に延びる通孔を有する請求項４に記載のライター。
【考案の詳細な説明】
【技術分野】
【０００１】
本考案は対児童対策が施されたライターに関する。より詳細には、児童に故障障或いはガス切れの印象を与え、児童に点火を諦めさせることが可能な電子ガスライターに関する。
【背景技術】
【０００２】
従来のライターは安全手段や安全機構を有し、これら安全手段のロック時即ち安全モードにセットされた状態では、ライターのトリガが操作されることが防止されているか、トリガの操作に必要な作動力が増加されるようになっている。このようなライターを児童が手にすると、最初は操作できないが、操作に興味を抱き、最終的には発火方法を確認する。従って、従来のタイプとは異なり、安全装置が起動するまでのみ、発火されトリガを備えた新型のライタが提案されるに至った。
【考案の開示】
【考案が解決しようとする課題】
【０００３】
本考案の主たる目的は、児童に、故障或いはガス切れの印象を与え、児童に点火を諦めさせることが可能な電子ガスライターを提供することにある。
【課題を解決するための手段】
【０００４】
上記した目的を達成するために、本考案に係るライターはハンドルと、同ハンドルに設けられて外方へ突出するように延びるバレルと、ハンドル内において液化ガス燃料を収容する燃料タンクと、同燃料タンクに設けたガスバルブと、トリガと、レバーピンを介してハンドルに回動可能に取り付けられたレバーとを備える。  本考案は更にハンドルに対して摺動可能に設けられ、第１の弾性部材により非没入位置に押圧される安全ボタンと、  前記ハンドル内において安全ボタンを有し、常にはトリガが操作されても同トリガに接触することがない分離位置にあり、前記安全ボタンが押圧操作されると整合位置に押圧され、操作されたトリガにより着火されるピエゾユニットとからなる。
【考案を実施するための最良の形態】
【０００５】
図１及び２ａは本発明に係るライターの一実施例を示す。ライターはハンドル１、同ハンドル１に設けられて外方へ突出するように延びるバレル２、ハンドル1内において液化
ガス燃料を収容する燃料タンク１０、及び同燃料タンク１０に設けたガスバルブ２０、備える。前記ハンドル１に設けられたピエゾユニット３０はスタートボタン３１及びトリガ４０を有し、トリガ４０が押圧操作されると、ピエゾユニット３０が駆動されて火花を生成して発火させる。ハンドル１にはレバーピン５１を介してレバー５０が回動可能に装着されるとともに、ハンドル１に対して摺動可能に安全ボタン６０が取り付けられている。前記ガスバルブ２０は燃料供給ホース２１を介してバレル内のフレームノズル（図示略）に連結されている。気化燃料はフレームノズルから噴出され、ピエゾユニット３０にて生成さえる火花により着火される。
【０００６】
図２ａは本発明に係るライターの通常の状態を示す。安全ボタン６０は第１の弾性要素６１により非没入位置に押圧される。安全ボタン６０の指部６２はピエゾユニット３０の方向へ延びている。
【０００７】
トリガ４０には内方突起４１が設けられている。通常の状態において、ピエゾユニット３０は分離位置にある。ピエゾユニット３０がこの出発位置にあるときには、トリガ４０がＡ方向に張引されても内方突出部４１がピエゾユニット３０に接触することはない。本
実施例において、ピエゾユニット３０は互いに対向する一対のスリット３２を有し、それぞれのスリット３２内にはハンドル１に形成されたピン３３が収容されている。ピエゾユニット３０はハンドル１に沿って移動し、ピン３３に対して回動する。ピエゾユニット３０は第２の弾性要素３４により安全ボタン６０の指部６２に対して押圧される。
【０００８】
使用時において、使用者が本発明に係るライターのハンドル１を手に持ち、トリガ４０を人差し指で引くと、同トリガ４０の内方突起４１はピエゾユニット３０に接触することはない。従って、ライターが発火することはない。図２ｂに示すように、使用者が親指で安全ボタン６０をＢ方向に押すと、第１の弾性要素６１が押圧されて指部６２がピエゾユニット３０に移動する。すると、ピエゾユニット３０がピン３３を中心に回動して、第２の弾性要素３４を整合位置に押圧する。この整合位置においては、安全ボタン６０が最大限にまで押圧操作されたとき、トリガ４０がＡ方向に押圧されると、内方突起４１はピエゾユニット３０に当接する。
【０００９】
図２ｃに示すように、ピエゾユニット３０が整合位置にあるとき、使用者がトリガ４０をＡ方向へ押圧すると、突起４１がピエゾユニット３０をＡ方向へと押圧する。すると、ハンドル１に形成されたストッパ３５にスタートボタン３１が係合する。使用者がトリガ４０を押し続けると、ストッパ３５に対してスタートボタン３１が押圧され、着火のための火花が発生される。
【００１０】
一方、レバー５０はピエゾユニット３０によって押圧され、ガスバルブ２０を開放する。従って、ライターが着火される。
使用者がトリガ４０とボタン６０とを解放すると、ピエゾユニット３０と安全ボタン６０とが、第２及び第１の弾性要素３４，６１の押圧力により、図２ａに示す通常状態に復帰する。
【００１１】
図３ａ〜３ｃは本考案に係るライターの別の実施例を示す。この実施例において、ピエゾユニット３０´は水平方向に延びる通孔を有し、この通孔内にはハンドル１´に形成されたポール３６´が挿通されている。これにより、ピエゾユニット３０´はポール３６´に沿って水平移動を行うことが可能となる。第２の弾性要素３４´によりピエゾユニット３０´は安全ボタン６０´の指部６２´へ押圧される。
上記の実施例において弾性要素としてバネが採用されている。当業者にとって自明なように、弾性要素としては押圧操作された後に元位置に復帰弾可能な弾性金属片又は棒状のゴム材を採用することも可能である。これに代えて、ピエゾユニット３０又は３０´はまずシート材上に配置される。好ましくは、トリガ４０と安全ボタン６０が押圧操作されてもハンドル１内に没入しないように、ハンドル１内にトリガ４０と安全ボタン６０の移動を制限する構成を設けてもよい。
【００１２】
上記した記載からも明らかなように、安全ボタン６０が押圧される前には、従来のライターと同様に安全装置を設けることなくトリガ４０が押圧される。この考案に係るライターを子供が使用しても、その子供はライターが故障しているか、或いはガスが無くなったと思い、着火しようとすることを諦める。
【００１３】
上記実施例は例示であり、発明は実施例に限定されるものではない。従って、添付する実用新案登録請求の範囲の請求項の範囲内であれば、変更は無論可能である。
【図面の簡単な説明】
【００１４】
【図１】本考案に係るライターの第１の実施の態様を示す斜視図。
【図２ａ】図１に示すライターの一部破断断面図。
【図２ｂ】図１に示すライターの一部破断断面図。
【図２ｃ】図１に示すライターの一部破断断面図。
【図３ａ】本考案に係るライターの第２の実施の態様を示す一部破断断面図。
【図３ｂ】本考案に係るライターの第２の実施の態様を示す一部破断断面図。
【図３ｃ】本考案に係るライターの第２の実施の態様を示す一部破断断面図。
【符号の説明】
【００１５】
ハンドル…１、バレル…２、燃料タンク…１０、燃料供給ホース…２１、ガスバルブ…２０、ピエゾユニット…３０、スタートボタン…３１、スリット…３２、ピン…３３、第２の弾性要素…３４、ストッパ…３５、内方突出部…４１、トリガ…４０、レバー５０、レバーピン５１、安全ボタン…６０、第１の弾性要素…６１、指部…６２。
【図１】
0003141715.tif 000003
【図２ａ】
0003141715.tif 000004
【図２ｂ】
0003141715.tif 000005
【図２ｃ】
0003141715.tif 000006
【図３ａ】
0003141715.tif 000007
【図３ｂ】
0003141715.tif 000008
【図３ｃ】
0003141715.tif 000009